【手続補正書】
【提出日】平成27年10月2日(2015.10.2)
【手続補正１】
【補正対象書類名】特許請求の範囲
【補正対象項目名】全文
【補正方法】変更
【補正の内容】
【特許請求の範囲】
【請求項１】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって、
プレス金型と鋼板を送る鋼板送り機構とを備えており、
上記プレス金型が、鋼板の送り方向と直交する方向である上記鋼板の幅方向に二列に並び且つ千鳥状に配置される、一方の列の複数の上記コア片と他方の列の複数の上記コア片とを、同時に打抜かれる上記コア片の隣接するバックヨーク形成部の間に所定の隙間が設けられた状態で打抜くようになっており、
上記鋼板の幅方向の両端部に、上記鋼板の位置を決めるパイロット孔を打抜くパイロット孔形成領域と、
上記コア片のカシメ部形成位置にカシメ孔を打抜くカシメ孔形成領域と、
上記鋼板送り方向で上記カシメ孔形成領域に隣接して、上記バックヨーク形成部が、上記プレス金型の鋼板搬入口側に向くとともに上記鋼板搬入口側に配置され且つ上記鋼板の幅方向に並ぶ、上記一方の列のコア片となる部位の上記カシメ部形成位置に、抜きカシメ用凹凸部を形成する第１の抜きカシメ用凹凸部形成領域と、
上記バックヨーク部を形成する上記一方の列の複数のコア片を打抜く、鋼板搬入口側コア片打抜き領域と、
上記バックヨーク形成部が、上記プレス金型の鋼板搬出口側に向くとともに上記鋼板搬出口側に配置され且つ上記鋼板の幅方向に並ぶ、上記他方の列のコア片となる部位の上記カシメ部形成位置に、上記抜きカシメ用凹凸部を形成する第２の抜きカシメ用凹凸部形成領域と、
上記他方の列の複数のコア片を打抜く、鋼板搬出口側コア片打抜き領域と、を備えており、
上記鋼板搬入口側コア片打抜き領域と上記鋼板搬出口側コア片打抜き領域とが所定距離離間して設けられている分割電機子鉄心の製造装置。
【請求項２】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって、
プレス金型と鋼板を送る鋼板送り機構とを備えており、
上記プレス金型が、鋼板の送り方向と直交する方向である上記鋼板の幅方向に一列に並ぶ、バックヨーク形成部の、一方の縁部が凹面であり他方の縁部が凸面である第１のコア片と、上記バックヨーク形成部の、上記一方の縁部が凸面であり上記他方の縁部が凹面である第２のコア片とを、同時に打抜かれる上記コア片の隣接する上記バックヨーク形成部の間に所定の隙間が設けられた状態で交互に打抜くようになっており、
上記鋼板の幅方向の両端部に上記鋼板の位置を決めるパイロット孔を打抜くパイロット孔形成領域と、
上記第１のコア片の上記一方の縁部の凹面と上記他方の縁部の凸面とを形成する第１の縁部面形成領域と、
上記第２のコア片の上記一方の縁部の凸面と上記他方の縁部の凹面とを形成する第２の縁部面形成領域と、
上記第１のコア片または上記第２のコア片のカシメ部形成位置に、カシメ孔を打抜くカシメ孔形成領域と、
上記第１のコア片または上記第２のコア片の上記カシメ部形成位置に、抜きカシメ用凹凸部を形成する抜きカシメ用凹凸部形成領域と、
上記第１のコア片と上記第２のコア片とを交互に打抜く、コア片打抜き領域と、を備えている分割電機子鉄心の製造装置。
【請求項３】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって
プレス金型と鋼板を送る鋼板送り機構とを備えており、
上記プレス金型が、鋼板の送り方向と直交する方向である上記鋼板の幅方向に二列に並び且つ千鳥状に配置した、バックヨーク形成部の一方の縁部が凹面であり他方の縁部が凸面である第１のコア片と、上記鋼板の幅方向に二列に並び且つ千鳥状に配置した、上記バックヨーク形成部の上記一方の縁部が凸面であり上記他方の縁部が凹面である第２のコア片とを、同時に打抜かれる上記コア片の隣接する上記バックヨーク形成部の間に所定の隙間が設けられた状態で、交互に打抜くようになっており、
上記鋼板の幅方向の両端部に上記鋼板の位置を決めるパイロット孔を打抜くパイロット孔形成領域と、
上記第１のコア片の上記一方の縁部の凹面と上記他方の縁部の凸面とを形成する第１の縁部面形成領域と、
上記第２のコア片の上記一方の縁部の凸面と上記他方の縁部の凹面とを形成する第２の縁部面形成領域と、
カシメ孔形成領域と、抜きカシメ用凹凸部形成領域と、
上記バックヨーク形成部が、上記プレス金型の鋼板搬入口側に向き且つ上記鋼板搬入口側に位置する、一方の列の上記第１のコア片と一方の列の上記第２のコア片とを交互に打抜く、鋼板搬入口側コア片打抜き領域と、
上記バックヨーク形成部が、上記プレス金型の鋼板搬出口側に向き且つ上記鋼板搬出口側に位置する、他方の列の上記第１のコア片と他方の列の上記第２のコア片とを交互に打抜く、鋼板搬出口側コア片打抜き領域と、を備えており、
上記鋼板搬入口側コア片打抜き領域と上記鋼板搬出口側コア片打抜き領域とが所定距離離間して設けられている分割電機子鉄心の製造装置。
【請求項４】
上記プレス金型の上記各コア片打抜き領域が設けられている位置に上記分割電機子鉄心の取出し口が設けられ、上記取出し口部に上記分割電機子鉄心の搬出機構が設けられている、請求項１から請求項３のいずれか１項に記載の分割電機子鉄心の製造装置。
【請求項５】
上記パイロット孔形成領域が、上記鋼板の幅方向の両端のパイロット孔とともに、上記鋼板における上記鋼板送り方向の前方部に、上記鋼板の幅方向に一列に並んだ複数個の第２のパイロット孔を形成する構造となっていることを特徴とする請求項１から請求項４のいずれか１項に記載の分割電機子鉄心の製造装置。
【請求項６】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって、
プレス金型と鋼板を送る鋼板送り機構とを備えており、
上記プレス金型が、鋼板の送り方向と直交する方向である上記鋼板の幅方向に二列に並び且つ千鳥状に配置される、一方の列の複数の上記コア片と他方の列の複数の上記コア片とを、同時に打抜かれる上記コア片の隣接するバックヨーク形成部の間に所定の隙間が設けられた状態で打抜くようになっており、
上記鋼板の幅方向の両端部に、上記鋼板の位置を決めるパイロット孔を打抜くパイロット孔形成領域と、
上記コア片のカシメ部形成位置にカシメ孔を打抜くカシメ孔形成領域と、
上記鋼板送り方向で上記カシメ孔形成領域に隣接して、上記バックヨーク形成部が、上記プレス金型の鋼板搬入口側に向くとともに上記鋼板搬入口側に配置され且つ上記鋼板の幅方向に並ぶ、上記一方の列のコア片となる部位の上記カシメ部形成位置に、抜きカシメ用凹凸部を形成する第１の抜きカシメ用凹凸部形成領域と、
上記バックヨーク部を形成する上記一方の列の複数のコア片を打抜く、鋼板搬入口側コア片打抜き領域と、
上記バックヨーク形成部が、上記プレス金型の鋼板搬出口側に向くとともに上記鋼板搬出口側に配置され且つ上記鋼板の幅方向に並ぶ、上記他方の列のコア片となる部位の上記カシメ部形成位置に、上記抜きカシメ用凹凸部を形成する第２の抜きカシメ用凹凸部形成領域と、
上記他方の列の複数のコア片を打抜く、鋼板搬出口側コア片打抜き領域と、を備えており、
上記鋼板搬入口側コア片打抜き領域と上記鋼板搬出口側コア片打抜き領域とが所定距離離間して設けられている分割電機子鉄心の製造装置で作製された上記分割電機子鉄心の上記磁極ティース部にインシュレータを介して電線を巻回して形成した分割電機子の複数個を環状に配置して形成する電機子の製造方法。
【請求項７】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって、
プレス金型と鋼板を送る鋼板送り機構とを備えており、
上記プレス金型が、鋼板の送り方向と直交する方向である上記鋼板の幅方向に一列に並ぶ、バックヨーク形成部の、一方の縁部が凹面であり他方の縁部が凸面である第１のコア片と、上記バックヨーク形成部の、上記一方の縁部が凸面であり上記他方の縁部が凹面である第２のコア片とを、同時に打抜かれる上記コア片の隣接する上記バックヨーク形成部の間に所定の隙間が設けられた状態で交互に打抜くようになっており、
上記鋼板の幅方向の両端部に上記鋼板の位置を決めるパイロット孔を打抜くパイロット孔形成領域と、
上記第１のコア片の上記一方の縁部の凹面と上記他方の縁部の凸面とを形成する第１の縁部面形成領域と、
上記第２のコア片の上記一方の縁部の凸面と上記他方の縁部の凹面とを形成する第２の縁部面形成領域と、
上記第１のコア片または上記第２のコア片のカシメ部形成位置に、カシメ孔を打抜くカシメ孔形成領域と、
上記第１のコア片または上記第２のコア片の上記カシメ部形成位置に、抜きカシメ用凹凸部を形成する抜きカシメ用凹凸部形成領域と、
上記第１のコア片と上記第２のコア片とを交互に打抜く、コア片打抜き領域と、を備えている分割電機子鉄心の製造装置で作製された上記分割電機子鉄心の上記磁極ティース部にインシュレータを介して電線を巻回して形成した分割電機子の複数個を環状に配置して形成する電機子の製造方法。
【請求項８】
コア片を積層し抜きカシメで連結され、且つ平面形状がバックヨーク部と上記バックヨーク部の中央から突出した磁極ティース部とを備えた略Ｔ字状の分割電機子鉄心を作製する分割電機子鉄心の製造装置であって
プレス金型と鋼板を送る鋼板送り機構とを備えており、
上記プレス金型が、鋼板の送り方向と直交する方向である上記鋼板の幅方向に二列に並び且つ千鳥状に配置した、バックヨーク形成部の一方の縁部が凹面であり他方の縁部が凸面である第１のコア片と、上記鋼板の幅方向に二列に並び且つ千鳥状に配置した、上記バックヨーク形成部の上記一方の縁部が凸面であり上記他方の縁部が凹面である第２のコア片とを、同時に打抜かれる上記コア片の隣接する上記バックヨーク形成部の間に所定の隙間が設けられた状態で、交互に打抜くようになっており、
上記鋼板の幅方向の両端部に上記鋼板の位置を決めるパイロット孔を打抜くパイロット孔形成領域と、
上記第１のコア片の上記一方の縁部の凹面と上記他方の縁部の凸面とを形成する第１の縁部面形成領域と、
上記第２のコア片の上記一方の縁部の凸面と上記他方の縁部の凹面とを形成する第２の縁部面形成領域と、
カシメ孔形成領域と、抜きカシメ用凹凸部形成領域と、
上記バックヨーク形成部が、上記プレス金型の鋼板搬入口側に向き且つ上記鋼板搬入口側に位置する、一方の列の上記第１のコア片と一方の列の上記第２のコア片とを交互に打抜く、鋼板搬入口側コア片打抜き領域と、
上記バックヨーク形成部が、上記プレス金型の鋼板搬出口側に向き且つ上記鋼板搬出口側に位置する、他方の列の上記第１のコア片と他方の列の上記第２のコア片とを交互に打抜く、鋼板搬出口側コア片打抜き領域と、を備えており、
上記鋼板搬入口側コア片打抜き領域と上記鋼板搬出口側コア片打抜き領域とが所定距離離間して設けられている分割電機子鉄心の製造装置で作製された上記分割電機子鉄心の上記磁極ティース部にインシュレータを介して電線を巻回して形成した分割電機子の複数個を環状に配置して形成する電機子の製造方法。
【請求項９】
上記分割電機子鉄心の製造装置が、上記プレス金型の上記各コア片打抜き領域が設けられている位置に上記分割電機子鉄心の取出し口が設けられ、上記取出し口部に上記分割電機子鉄心の搬出機構が設けられていることを特徴とする請求項６から請求項８のいずれか１項に記載の電機子の製造方法。
【請求項１０】
上記分割電機子鉄心の製造装置が、上記パイロット孔形成領域を、上記鋼板の幅方向の両端のパイロット孔とともに、上記鋼板における上記鋼板送り方向の前方部に、上記鋼板の幅方向に一列に並んだ複数個の第２のパイロット孔を形成する構造としていることを特徴とする請求項６から請求項９のいずれか１項に記載の電機子の製造方法。
【請求項１１】
電機子と、上記電機子の内周側に、同心円状に配置され且つ上記電機子の内周と対向する面に永久磁石が設けられたロータと、上記電機子と上記ロータとを保持するハウジングとを備えている回転電機の製造方法であって、上記電機子が請求項７から請求項１０のいずれか１項に記載の電機子の製造方法で作製されることを特徴とする回転電機の製造方法。
【手続補正２】
【補正対象書類名】明細書
【補正対象項目名】発明の名称
【補正方法】変更
【補正の内容】
【発明の名称】分割電機子鉄心の製造装置及び電機子の製造方法並びに回転電機の製造方法